(57)【要約】【課題】本発明の課題は、陥没した乳頭を手術、あるいは他の人為的方法によらず矯正可能な陥没乳頭矯正器を提供することにある。【解決手段】乳房の乳頭を受容する受容部（１０）、乳頭と乳輪の境界部に圧着され、受容部内に圧力を維持する峡持部（２０）、乳房に密着され真空状態を維持する吸着部（３０）により構成される乳頭矯正器において、峡持部（２０）は支持部（２２）・中空部（２３）・圧着部（２１）で構成され、吸着部先端（３１）は一定の鈍角をなす。上記の支持部（２２）および圧着部（２１）の内側は、突起の形態を成しており、乳頭と矯正器の間の圧力を維持させ、乳頭の密着性を高める。この場合、支持部（２２）の突起より圧着部（２１）の突起を大きくするのが密着度を高めるのに望ましい。上記の支持部（２２）と圧着部（２１）の間の中空部（２３）は、弾力性を持って乳頭と矯正器との間に圧着空間を形成し、乳頭が中空部内に吸い込まれる。
2005504567.tif 000002
【特許請求の範囲】
【請求項１】
乳房の乳頭を受容する受容部（１０）、受容部内に圧力を維持する峡持部（２０）、乳房に密着され真空状態を維持する吸着部（３０）により構成される乳頭矯正器において、前期峡持部（２０）は、支持部（２２）・中空部（２３）・圧着部（２１）により構成され、上記の支持部（２２）および圧着部（２１）の内側は突起の形態を成しており、圧着部（２１）の突起は支持部（２２）の突起よりも大きく、中空部（２３）は前記支持部（２２）と圧着部（２１）との間に形成されることを特徴とする陥没乳頭矯正器。
【請求項２】
請求項１の記載の陥没乳頭矯正器であって、シリコンまたは弾性材質で形成されることを特徴とする陥没乳頭矯正器。
【請求項３】
請求項１の記載の陥没乳頭矯正器であって、吸着部（３０）は円錐形であり、吸着部（３０）の厚み及び長さは調節可能であることを特徴とする陥没乳頭矯正器。
【請求項４】
請求項３の記載の陥没乳頭矯正器であって、吸着部先端（３１）は、一定の鈍角をなすことを特徴とする陥没乳頭矯正器。
【発明の詳細な説明】
【技術分野】
【０００１】
本発明は、陥没した乳頭を矯正するための乳頭矯正器に係り、特に陥没した乳頭を手術、あるいは他の人為的方法によらず矯正可能な、吸着部・受容部・峡持部を備えた陥没乳頭矯正器に関するものである。
【背景技術】
【０００２】
普通の乳頭は乳輪より突出しており、個人の年齢や妊娠、出産の差によって、小さくて2-3mm、大きくて1cm以上突出している。乳頭陥没とは、乳頭が乳房の表面より窪んでいることをいう。乳頭陥没は、外見上の問題だけではなく、分泌物による悪臭や炎症が起こりやすい。特に、出産後には授乳の大きな障害となる。この問題点を解決するために、本発明の出願人は陥没乳頭を矯正するための乳頭矯正器を考案したことがあり、その考案は韓国実用新案公告第９６−６１７６９号に公開されている。上記の公知考案は、真空吸着部・受容部・峡持部および受容部のリングを備え、吸着部の形状は、壷状である。
【発明の開示】
【発明が解決しようとする課題】
【０００３】
ところが、上記の技術は次の問題点を持っている。
第一に、上記の考案の受容部は、陥没した乳頭を受容部内の真空空間まで吸い取り、その状態を維持する必要があったが、乳頭を吸い取る力が弱く、上記の真空状態を持続的に維持するのが難しかった。第二に、受容部のリングは、服を着用するときに、邪魔になる。第三に、壷状の吸着部は、密着度が低く落ちやすい。
【課題を解決するための手段】
【０００４】
本発明においては、峡持部の構成を精密に改良して、リングなしに乳頭を受容部に容易に吸い取り、真空状態での密着性を大きく向上させた。また、吸着部の先端部分に一定の角を与え、密着度を大きく向上させた。
【発明の効果】
【０００５】
陥没乳頭は、外見上の問題だけではなく、分泌物による悪臭や炎症が起こりやすい。それゆえに、乳腺炎の原因になる。陥没乳頭を根本的に治療するためには手術を必要とするが、乳頭の突出状態が安全かつ持続的に維持できる手術方法はいまだにない。また、乳頭に刺激を与えると容易に突出する陥没乳頭の場合は手術の対象にならない。
本発明による陥没乳頭矯正器は、いかなる陥没乳頭にも適用できる。また、日常生活において常に簡単に乳房に着用することができ、外見上も目立たない。特に、従来のものと比べると峡持部の構成が著しく改良され、密着力が大きく向上され、着用中に矯正器の離脱がない。矯正器の価格も低廉で携帯や保管も容易で、陥没乳頭の女性にとっては、使いやすい。
【発明を実施するための最良の形態】
【０００６】
以下、添付図面を参照しながら本発明の実施形態を詳細に説明する。
図１は、本発明の陥没乳頭矯正器の斜視図である。図２は、本発明の陥没乳頭矯正器の断面図である。図３は、本発明の陥没乳頭矯正器の吸着部先端の拡大図である。図４は、本発明の陥没乳頭矯正器の実施例示図である。
乳房の乳頭を受容する受容部（１０）、乳頭と乳輪の境界部に圧着され、受容部内に圧力を維持する峡持部（２０）、乳房に密着され真空状態を維持する吸着部（３０）により構成される乳頭矯正器において、峡持部（２０）は、支持部（２２）・中空部（２３）・圧着部（２１）により構成され、吸着部先端（３１）は、一定の鈍角をなす。上記の支持部（２２）および圧着部（２１）の内側は、突起の形態を成しており、乳頭と矯正器の間の圧力を維持させ、乳頭の密着性を高める。この場合、支持部（２２）の突起より圧着部（２１）の突起を大きくするのが密着度を高めるのに望ましい。上記の支持部（２２）と圧着部（２１）の間の中空部（２３）は、弾力性を持って乳頭と矯正器との間に圧着空間を形成し、乳頭が中空部内に吸い込まれる。上記の中空部（２３）は、乳頭に対する把持力を高める。弾力性を高めるために支持部（２２）と圧着部（２１）の接触面は厚さを厚くし中空部（２３）は薄くするのが望ましい。吸着部（２０）は円錐形にし、先端部分は鈍角にする。
【０００７】
図１と図２を参照しながら、本発明を詳細に説明する。
受容部（１０）・峡持部（２０）・吸着部（３０）により構成される陥没乳頭矯正器において、受容部は乳頭を受容し、峡持部（２０）は、支持部（２２）・中空部（２３）・圧着部（２１）で構成され、支持部（２２）と中空部（２３）は、乳頭を把持し、圧着部（２１）は、受容部（１０）内に乳頭が吸い込まれるときに乳輪と乳頭を把持し、矯正器の密着性を維持できるようにする。
【０００８】
吸着部（３０）は、円錐形であって、上記の峡持部（２０）と繋がっている。吸着部先端（３１）は鈍角をなす。吸着部（３０）のサイズ、すなわち峡持部（２０）から吸着部先端（３１）までの長さは、可変である。吸着部（３０）のサイズは、矯正器を使用する使用者にとって敏感な問題で使用者の好みにより、たいてい50mmから2mm程度のサイズが望ましい。
【０００９】
図４を参照しながら本発明の実施の例を説明する。
受容部（１０）を指で圧着して受容部を真空状態にする。乳頭の中心と受容部の中心を一致させ、圧着部（２１）を乳頭に密着しながら受容部の指を徐々に緩める。すると大気と受容部内の気圧差と、シリコンまたは弾性材質の矯正器の弾性力によって陥没した乳頭は徐々に吸引される。吸引された乳頭は、圧着部（２１）・支持部（２２）によって固定かつ密着され、中空部（２３）内に密着される。また、吸着部（３０）の先端（３１）は、矯正器の密着度を向上させるだけではなく、長時間の密封効果が期待される。矯正器を取り外すときには、吸着部の先端を引き上げれば、簡単に取り外すことができる。
【産業上の利用可能性】
【００１０】
本発明に係る陥没乳頭矯正器は、いかなる陥没乳頭にも適用でき、また日常生活において常に簡単に乳房に着用することができ、外見上も目立たず、特に、従来のものと比べると峡持部の構成が著しく改良され、密着力が大きく向上され、着用中に矯正器の離脱がなく、価格も低廉で携帯や保管も容易で、陥没乳頭の女性に利用される可能性がある。
【図面の簡単な説明】
【００１１】
【図１】本発明の陥没乳頭矯正器の斜視図である。
【図２】本発明の陥没乳頭矯正器の断面図である。
【図３】本発明の陥没乳頭矯正器の吸着部先端の拡大図である。
【図４】本発明の陥没乳頭矯正器の実施例示図である。
【符号の説明】
【００１２】
１      陥没乳頭矯正器
１０      受容部
２０      峡持部
２１      圧着部
２２      支持部
２３      中空部
３０      吸着部
３１      吸着部先端
【図１】
2005504567.tif 000003
【図２】
2005504567.tif 000004
【図３】
2005504567.tif 000005
【図４】
2005504567.tif 000006
【国際公開パンフレット】
2005504567.tif 000007
2005504567.tif 000008
2005504567.tif 000009
2005504567.tif 000010
2005504567.tif 000011
2005504567.tif 000012
2005504567.tif 000013
2005504567.tif 000014
2005504567.tif 000015
2005504567.tif 000016
【国際調査報告】
2005504567.tif 000017
2005504567.tif 000018